(57)【要約】      （修正有）【課題】ユーザの手持ちの衣服に電動ファンを装着可能とするに際して、電動ファンを衣服に確実に支持する電動ファン取付用補助具を提供する。【解決手段】内縁部３１Ａ、３２Ａにおいて互いに連結され、内縁部から外側に延びる外延部３１Ｂ、３２Ｂにおいて互いに分離可能に構成された一対の環状体３１、３２を具備し、一対の環状体が、少なくとも一方の外延部の外面に円状の凹部３３、３４を含み、一対の環状体の外延部の間に衣服の開口縁を挟み込んだ状態で凹部に沿って縫合されることで、衣服に取り付けられる。【選択図】図２
0003234752.tif 000002
【実用新案登録請求の範囲】
【請求項１】
内縁部において互いに連結され、前記内縁部から外側に延びる外延部において互いに分離可能に構成された一対の環状体を具備し、
前記一対の環状体が、少なくとも一方の前記外延部の外面に円状の凹部を含み、
前記一対の環状体の前記外延部の間に衣服の開口縁を挟み込んだ状態で前記凹部に沿って縫合されることで、前記衣服に取り付けられること、
を特徴とする電動ファン取付用補助具。
【請求項２】
前記凹部が、同心状に配置されて異なる径を有する複数条の溝部を含むこと、
を特徴とする請求項１に記載の電動ファン取付用補助具。
【請求項３】
前記凹部が、前記一対の環状体の前記外延部の両方の外面に形成されていること、
を特徴とする請求項１又は２に記載の電動ファン取付用補助具。
【請求項４】
前記一対の環状体がゴム材料又は樹脂材料で構成されていること、
を特徴とする請求項１〜３のいずれかに記載の電動ファン取付用補助具。
【請求項５】
請求項１〜４のいずれかに記載の電動ファン取付用補助具を具備する衣服。
【考案の詳細な説明】
【技術分野】
【０００１】
本考案は、開口を有する衣服に電動ファンを取り付けるための補助具及びそれを具備する衣服に関する。
【背景技術】
【０００２】
近年、高気温下での作業や運動から引き起こされる熱中症が問題視されている。熱中症が引き起こされると適切な処置を早急に行うことが重要であり、処置が遅れると死に至るケースもある。
【０００３】
上記のような熱中症対策及び快適な作業環境を提供するために、身体を冷却しつつ作業を可能とする空調衣服が知られている（例えば、特許文献１参照）。かかる空調衣服は、左右の腰部に開口を有する上衣と、それら開口に装着された電動ファンと、を含んでいる。また、ユーザの手持ちの衣服に電動ファンを装着可能とするためのキットも提供されている。
【先行技術文献】
【特許文献】
【０００４】
【特許文献１】国際公開第０２／０６７７０８号パンフレット
【考案の概要】
【考案が解決しようとする課題】
【０００５】
しかしながら、従来の空調衣服では、電動ファンが所定の重量を有するため、一般的な生地で構成された衣服は電動ファンを十分に支持できず、例えば電動ファンの近傍の生地が垂れたり、電動ファンが脱落したりする。即ち、従来の空調衣服では、電動ファンを確実に支持するための構造に未だ改善の余地がある。
【０００６】
そこで、本考案の目的は、ユーザの手持ちの衣服に電動ファンを装着可能とするに際して、電動ファンを衣服に確実に支持することが可能な電動ファン取付用補助具及びそれを具備する衣服を提供することにある。
【課題を解決するための手段】
【０００７】
上記の課題を解決すべく、本考案は、
内縁部において互いに連結され、前記内縁部から外側に延びる外延部において互いに分離可能に構成された一対の環状体を具備し、
前記一対の環状体が、少なくとも一方の前記外延部の外面に円状の凹部を含み、
前記一対の環状体の前記外延部の間に衣服の開口縁を挟み込んだ状態で前記凹部に沿って縫合されることで、前記衣服に取り付けられること、
を特徴とする電動ファン取付用補助具、を提供する。
【０００８】
本考案の電動ファン取付用補助具においては、前記凹部が、同心状に配置されて異なる径を有する複数条の溝部を含むこと、が好ましい。
【０００９】
また、本考案の電動ファン取付用補助具においては、前記凹部が、前記一対の環状体の前記外延部の両方の外面に形成されていること、が好ましい。
【００１０】
また、本考案の電動ファン取付用補助具においては、前記一対の環状体がゴム材料又は樹脂材料で構成されていること、が好ましい。
【００１１】
また、本考案は、上記のいずれかの電動ファン取付用補助具を具備する衣服をも提供する。
【考案の効果】
【００１２】
本考案によれば、一対の環状体が衣服の開口縁を補強するため、ユーザの手持ちの衣服に電動ファンを装着可能とするに際して、電動ファンを衣服に確実に支持することが可能となる。これにより、電動ファンを介して空気を適切に衣服内に送り込むことが可能となり、電動ファンの空調能力を十分に発揮させて高い身体冷却効果を得ることができる。
【図面の簡単な説明】
【００１３】
【図１】本考案の代表的な実施形態に係る電動ファン取付用補助具３を含む衣服１の概略図である。
【図２】電動ファン取付用補助具３の正面図、側面図及びＡ−Ａ線断面図である。
【図３】外延部３１Ｂが捲られた状態の電動ファン取付用補助具３の斜視図である。
【図４】衣服１への電動ファン取付用補助具３の取付手順を示す概略図である。
【図５】衣服１への電動ファン取付用補助具３の取付手法の一例を示す図である。
【図６】電動ファン取付用補助具３を取付済みの衣服１への電動ファン５の装着手法を示す概略図である。
【図７】電動ファン５が装着された衣服１の一例を示す概略図である。
【考案を実施するための形態】
【００１４】
以下、本考案に係る電動ファン取付用補助具及び衣服の代表的な実施形態について、図を参照しながら詳細に説明するが、本考案は図示されるものに限られない。また、各図面は本考案を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１５】
本実施形態における電動ファン取付用補助具３（以下、補助具という。）は、ユーザの手持ちの衣服１に電動ファン５を安定的に装着させるための補助材である。
【００１６】
すなわち、例えば図１（Ａ）に示すように衣服１に開口を設けただけでは、電動ファン５を衣服１に安定的に取り付けることができない。衣服１の生地がやわらく、電動ファン５を確実に固定できないためである。そこで、衣服１における電動ファン５の取付部位、つまり開口縁１２を補強する必要があり、それを実現するのが補助具３である（図１（Ｂ）参照）。なお、補助具３は、装着される電動ファン５に好適なサイズに作成されている。
【００１７】
図２（Ａ）〜（Ｃ）に示すように、補助具３は、一対の環状体３１，３２を具備する。環状体３１，３２は、内縁部３１Ａ，３２Ａにおいて互いに連結され、内縁部３１Ａ，３２Ａから外側に延びる外延部３１Ｂ，３２Ｂにおいて互いに分離可能に構成されている（図４（Ａ）参照）。それゆえ、図３に例示するように、ユーザは外延部３１Ｂ又は３２Ｂを捲って開くことができる。
【００１８】
環状体３１，３２は、少なくとも一方の外延部３１Ｂ（３２Ｂ）の外面に円状の凹部３３（３４）を含む。本実施形態では、一対の環状体３１，３２の両方の外面に凹部３３，３４が設けられている。凹部３３，３４の厚みは、外延部３１Ｂ，３２Ｂの他の部位の厚みよりも薄くなっている（図４（Ａ）参照）。
【００１９】
かかる凹部３３，３４は、ユーザが補助具３を衣服１に縫い付ける際のガイドとして機能するとともに、縫い込むときの針の抵抗を抑制する。したがって、ユーザは、手縫いでも、図５に示すようにミシンでも、補助具３を衣服１に簡単に縫い付けることが可能となる。
【００２０】
本実施形態では、凹部３３，３４は連続的に形成されて閉じた円ないし輪を構成している（図２（Ａ）参照）。もっとも、凹部３３，３４は途中で途切れて、１つ又は複数の弧から構成されてもよい。
【００２１】
凹部３３，３４はそれぞれ、同心状に配置されて異なる径を有する複数条の溝部３３Ａ，３３Ｂ・・・及び溝部３４Ａ，３４Ｂ・・・を含むことが好ましい。補助具３を二重、三重・・・に縫い付けることで、補助具３が衣服１の開口縁１２により確実に固定される。本実施形態では、凹部３３，３４は、それぞれ、大小の径を有する（あるいは内周側及び外周側の）２条の溝部３３Ａ，３３Ｂ及び溝部３４Ａ，３４Ｂを含む。
【００２２】
補助具３は、ゴム材料又は樹脂材料で構成することができ、これらの材料で形成された一体成型品であることが好ましい。好適なゴム材料又は樹脂材料としては、例えば、天然ゴム、合成天然ゴム、ブタジェンゴム、クロロプレンゴム、シリコーンゴム、アクリルゴム、ウレタンゴム及びフッ素ゴム、又は、ポリエチレン、ポリプロピレン、ポリスチレン、アクリロニトリル−スチレン樹脂、アクリロニトリル−ブタジエン−スチレン樹脂、ポリ塩化ビニル、メタクリル樹脂、ポリエチレンテレフタラート等が挙げられるが、これらに限られない。
【００２３】
上記の構成を有する補助具３では、一方の外延部３１Ｂ，３２Ｂを他方の外延部３１Ｂ，３２Ｂから離して捲ることができる（図３参照）。したがって、ユーザは、図４（Ａ），（Ｂ）及び図５に例示するように、手持ちの衣服１に開口を形成し、一対の環状体３１，３２の外延部３１Ｂ，３２Ｂの間に衣服１の開口縁１２を挟み込み、凹部３３，３４に沿って一対の環状体３１，３２同士を縫合することで、補助具３を衣服１に簡単に取り付けることができる。
【００２４】
また、補助具３の取付のためにアイロン接着が不要である。また、縫合した補強具により衣服１の開口縁１２の強度向上と電動ファン５の滑り止め防止が可能となる。また、補助具３をゴム材料で作製することで、生地からなる補助具（ワッペン）において生じ得る洗濯時のほつれや収縮を防止することができる。
【００２５】
図６に示すように、電動ファン５を衣服１に装着するためには、補助具３を電動ファン５の本体５１と蓋５２との間に挟み込めばよい。つまり、電動ファン５の本体５１と蓋５２とがねじ機構５３によって固定され、かつ、本体５１の鍔５１Ａと蓋５２の鍔５２Ａとで補助具３を挟持することで電動ファン５が装着される場合、ゴム製の補助具３は電動ファン５のゆるみ防止になる。また、このような挟み込み式の電動ファン５とともに用いられる場合、補助具３は、サイズがあえばどのような電動ファン５にも対応可能である。
【００２６】
ユーザは、例えば高気温下での作業又は運動の場面で、電動ファン５を装着した衣服１を着用する。電動ファン５は、衣服１内に外気を供給することで、衣服１内の空気を強制的に循環ないし入れ替え、身体を効率良く冷却することが可能である。
【００２７】
以上、本考案の一実施形態について図面を参照しつつ説明してきたが、本考案は、これらの実施形態に限定されるものではなく、実用新案登録請求の範囲の記載の精神及び教示を逸脱しない範囲でその他の改良例や変形例が存在する。そして、かかる改良例や変形例は全て本考案の技術的範囲に含まれることは、当業者にとっては容易に理解されるところである。
【符号の説明】
【００２８】
１      衣服
３      電動ファン取付用補助具
５      電動ファン
１１    開口
３１，３２  環状体
３１Ａ，３２Ａ  内縁部
３１Ｂ，３２Ｂ  外延部
３３，３４  凹部
【図１】
0003234752.tif 000003
【図２】
0003234752.tif 000004
【図３】
0003234752.tif 000005
【図４】
0003234752.tif 000006
【図５】
0003234752.tif 000007
【図６】
0003234752.tif 000008
【図７】
0003234752.tif 000009